(57)【要約】      （修正有）【課題】簡単な操作で糞等を迅速に、衛生的で、且つ経済的に処理できる折り畳み式小動物用糞取りパックを提供する。【解決手段】平らな状態からちりとり状の形状に組立てた厚紙本体１を、両面粘着シート４で壁等へ固定し、糞等の汚物を取り込んだ後は、壁等から取り外し、折り返し用差し込み口２から折り返し用厚紙５をとりだして折り畳み、折り返し用厚紙５の裏側に収納されたポリ袋６を取り出して厚紙本体１を被覆して廃棄する。【選択図】図１
0003168297.tif 000002
【実用新案登録請求の範囲】
【請求項１】
一枚の厚紙を折り畳むことにより形成したちりとり型折り畳み式厚紙本体の裏側に回収用袋を折り返し用厚紙を介して内部に収納し、前記ちりとり型折り畳み式厚紙本体の表側の糞受け取り用スペースに取り込んだ糞を採集する際には、前記裏側に収納した前記回収用袋により前記厚紙本体そのものを取り込むことを特徴とする折り畳み式小動物用糞取りパック。
【請求項２】
上記ちりとり型折り畳み式厚紙本体に一枚の厚紙を折り畳むことにより形成される折り返し用差し込み口に折り返し用厚紙の差し込み辺を備えていることを特徴とする請求項１に記載の折り畳み式小動物用糞取りパック。
【考案の詳細な説明】
【技術分野】
【０００１】  本考案は、平らな状態からちりとり型の形状に組み立て設置し、糞を取り込んだ後は取り外し、備えられた厚紙により手等を汚さず、平らな状態へと戻し、厚紙本体に固定されたポリ袋により厚紙本体ごと廃棄するツバメの糞散乱防止器具に関するものである。
【背景技術】
【０００２】  従来の糞とり器具においては、糞の散乱後にちりとりほうきにより取り込む際の袋類が用いられていた。従来技術として、ちりとりのような、プラスチック製などを使用したもの等があるが、充分に用を果たさず、糞の周囲や使用する器具を汚染したり、又、器具そのものが割高で使用後、廃棄するには非現実的な物もあった。各器具は糞等で汚染され易く、その際は洗浄しなければならず、面倒であった。又それらの器具は専用器具ではない為、実際の使用には不便で不充分なものであった。
【先行技術文献】
【特許文献】
【０００３】
【特許文献１】特開２００７−２７４９１６公開特許公報
【考案の概要】
【考案が解決しようとする課題】
【０００４】    従来の糞とり器具においては、袋と、ちりとり、ほうきが別々につくられ、保管されていた。従来技術として幾つか考案が成されているが、それらのあるものは、デッキブラシ、金属製ちりとり、スコップ類を汚し衛生的にも好ましくない。ツバメの糞を採集した際、使用時に器具や手等が汚物で汚れ、ポリ袋糞取り操作が困難で糞等の汚物の周囲と器具本体も汚染し易く、衛生上も好ましくなかった。一方、排泄される糞の形状、性状は多様性に富んでおり、これらに幅広く対処でき、軽量  又、小型で簡単に廃棄まで行う事ができ  便利で安価、衛生的に取り扱える糞取り器具が求められている。
【課題を解決するための手段】
【０００５】  上記課題を解決するために、本考案は、一枚の厚紙を折り畳むことにより形成したちりとり型折り畳み式厚紙本体の裏側に回収用袋を折り返し用厚紙を介して内部に収納し、ちりとり型折り畳み式厚紙本体の表側の糞受け取り用スペースに取り込んだ糞を採集する際には、裏側に収納した前記回収用袋により前記厚紙本体そのものを取り込むことを特徴とする折り畳み式小動物用糞取りパックで、ちりとり型折り畳み式厚紙本体に設けられる両面粘着シートにより、厚紙本体を糞の散乱場所となる個所へ設置固定すると共に、一枚の厚紙を折り畳むことにより形成される折り返し用差し込み口に折り返し用厚紙の差し込み辺を備えた折り畳み式小動物用糞取りパックである。具体的には、ちりとり型の形状をした折り畳み式厚紙本体をツバメの巣真下へ取り付け固定し、該ちりとり型の形状をした厚紙本体に糞等を取り込んだ後は、糞受け取り用シートの反対にある折り返し用厚紙を折り返し用差し込み口から取り外し手等を汚さず折り畳むことができ、収納ポリ袋を引き出し厚紙本体そのものを取り入れ廃棄するものである。固定する手段としては、２面間で異なる粘着性強度を有する両面接着性シートが特に好ましい。該シートは可撓性を有するフィルムやシート状の発泡体を基板とし、その両面に接着剤層を積層したものであり、ちりとり型厚紙本体と該シートが接着する面とは強固に接着し、実施出来る粘着強度を有するものである。
【考案の効果】
【０００６】  従来では各々の糞取り具は使用すれば装置やその周辺が糞等の汚物で汚染され易く、洗浄しなければならず、面倒であった。又それらの器具は個別の状態で携帯するので、嵩張り、取り扱いも不便であった。本考案は、以上説明したように構成されているので、以下に記載されるような効果を奏する。再利用の牛乳パックや市場で簡単に入手できる厚紙で作成するちりとり型の形状をした組立型厚紙本体に、ビニール製の袋、又は、ポリ袋を収納し、該厚紙本体の糞受け取りスペース部と反対側に設置された厚紙を使用する事により手等を汚さず折り畳め、該ポリ袋とちりとり型厚紙本体は一体化され折り畳み式でコンパクトであり、使用方法は、厚紙本体に両面粘着シートが備えられており簡単に厚紙本体を設置面へ貼り付けて使用する事が出来る。  糞受け取りスペースに糞が溜り撤去する為の取り外し方法も容易で瞬時に出来、従来器具を使用すること無く便利である。又、使用時の取り扱いが簡単で衛生的であるばかりでなく、廃棄するのは糞等の汚物の入った厚紙本体だけなのでコスト的にも非常に経済的な器具である。また、使用済の牛乳パックや厚紙等で作る事が出来るちりとり型の糞散乱防止器具を併用する事により、糞を簡単な操作で迅速に、且つ衛生的に、ビニール製の袋、又は、ポリ袋に厚紙本体そのものを取り込み廃棄する事が出来る。
【図面の簡単な説明】
【０００７】
【図１】施工前の厚紙本体に両面粘着シートを貼り付けて、ポリ袋を畳んだ状態で取り付けたことを示す平面図である。
【図２】厚紙本体を組み立て両面粘着シートの位置とポリ袋の収納状態を示す斜視図である。
【図３】糞を取り込んだ後に、組み立て式厚紙本体を平らに折り畳んだ状態を示す斜視図である。
【図４】折り返し用差し込み口から折り返し用厚紙を取り外し畳み後、収納ポリ袋により厚紙本体を取り込んだ状態の斜視図である。
【考案を実施するための形態】
【０００８】    上記のように構成された糞とり器具を利用するには、先ず、ちりとり型厚紙本体を平らな状態から組立て厚紙本体に備えられた両面粘着シートにより厚紙本体をツバメの巣真下へ設置し固定する。ツバメの糞を取り込んだ後は、厚紙本体を取り外し  平らな状態へと組立て厚紙本体の反対に設置されている厚紙を引き出す事により、手等を汚染する事も無く簡単に畳め、収納されていたポリ袋により厚紙本体そのものを糞等に手等を汚染されずに廃棄する事ができる。
【０００９】本考案には従来の糞取り具にはない一枚の厚紙を折り畳むことにより形成されるちりとり型折り畳み式厚紙を壁に設置するための両面粘着シート又、糞取り込み後の厚紙本体に備えられた折り返し用厚紙を折り返し用差し込み口からとりだし平らな状態へと手等を汚さず折り畳み、収納固定ポリ袋により厚紙本体を被覆し衛生的に廃棄できるのでより好ましい。
【００１０】糞取り込みが終了した状態では、糞受け取り用スペースだけが汚染されるだけであり、操作する手や該ポリ袋以外に器具の如何なる部分も汚染される事は無いので衛生的で経済的である。ちりとり型の形状をした厚紙本体を壁等へ固定する方法としては２面間で異なる粘着性強度を有する両面接着性パッドを使用する方法が特に好ましい。両面粘着性シートに要求される接着強度は使用する厚紙本体と材質に依存するが、両面粘着性シートの接着強度は壁等から剥がれ落ちる事がない強度を有する。
【実施例】
【００１１】次に、本考案における折り畳み式小動物用糞取りパックをツバメの糞散乱防止に用いた事例について具体的に説明する。尚、本実施における取り付け方法、形状やスコップの形状等の記載例は実施の説明に供したものであって本考案を制限するものではない。【００１２】  以下、実施例について、図面を参照して説明する。図１は使用済みの牛乳パックや野菜ジュース、果物ジュース、飲料水の紙  もしくは段ボール製の箱、又は市販の厚紙等を利用して作成した施工前の厚紙本体１を示すもので、必要とされる適宜の位置に強い接着性を有する両面粘着性シート４を、表側に向く様にして貼り付ける。ポリ袋６は折り返し用厚紙５の裏側へ畳んだ状態にて固定する。ポリ袋６の代えてビニール袋や防湿性を有する袋、例えば、油紙製の袋を用いても良い。【００１３】図２において、牛乳パックや野菜ジュース、果物ジュース、飲料水の紙容器、若しくは、段ボール製の箱、又は市販の厚紙等を利用して作成した組立後の厚紙本体１に予め貼り付けてある粘着性を有する両面粘着性シート４を設置し、ポリ袋６を折り返し用厚紙５の内側へ収納し組立てた状態を示すものである。【００１４】図３において、排出された糞７を糞受け取り用スペース３取り込んだ後、厚紙本体１を平らな状態へ折り畳んだ状態を示すものである。【００１５】図４は、折り返し用差し込み口２から折り返し用厚紙５をとりだし裏返すことにより排出された糞７に触れることなく平らな状態へと折り畳め、折り返し用厚紙５の裏側に収納されたポリ袋６をとりだし厚紙本体１を被覆した状態を示す図である
【産業上の利用可能性】
【００１６】  本考案に係る折り畳み式小動物用糞取りパックは、ツバメの糞散乱防止のみならず、犬やねこなどの各種ペットにも使用可能で、折り畳み式小動物用糞取りパックは、厚紙、及び、段ボールなど、殆どの材料が  市場で簡単に入手できるものであり、工業的に量産出来るばかりでなく、安価に生産出来るためペット産業や清掃産業等産業上の利用可能性を有する。
【符号の説明】
【００１７】  厚紙本体                １
折り返し用差し込み口    ２
糞受け取り用スペース    ３
両面粘着性シート        ４
折り返し用厚紙          ５
ポリ袋                  ６
糞                      ７
【図１】
0003168297.tif 000003
【図２】
0003168297.tif 000004
【図３】
0003168297.tif 000005
【図４】
0003168297.tif 000006